【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
自己凝集するネコ用リターであって、
（ａ）前記ネコ用リターの重量の少なくとも４０％のスターチと、
（ｂ）前記ネコ用リターの製造中にスターチから形成された、前記ネコ用リターの重量の少なくとも５％の水溶性の炭水化物ポリマーバインダーリター凝集因子であって、前記ネコ用リター内に凝集因子の添加剤がない状態で尿に濡れた場合に、前記ネコ用リターを凝集させるのに十分であり、前記ネコ用リターを凝集させる間に、前記ネコ用リターから流れる流動性を有する液体の接着剤を形成する炭水化物ポリマーバインダーリター凝集因子とを備えた、自己凝集するネコ用リター。
【請求項２】
前記水溶性の炭水化物ポリマーバインダーリター凝集因子は、デキストリンよりなる、請求項１に記載の自己凝集するネコ用リター。
【請求項３】
前記水溶性の炭水化物ポリマーバインダーリター凝集因子は、アミロペクチンスターチベースの炭水化物ポリマーバインダーよりなる、請求項１に記載の自己凝集するネコ用リター。
【請求項４】
前記ネコ用リターの重量の５％から１５％の間の水溶性の炭水化物ポリマーバインダーリター凝集因子を備えた、請求項１に記載の自己凝集するネコ用リター。
【請求項５】
前記炭水化物ポリマーバインダーリター凝集因子は、デキストリンよりなる、請求項４に記載の自己凝集するネコ用リター。
【請求項６】
前記ネコ用リターは、複数の押出成形されたペレットよりなり、前記複数の押出成形されたペレットの各々は、ペレット重量の少なくとも５％の水溶性の炭水化物ポリマーバインダーリター凝集因子を有し、前記水溶性の炭水化物ポリマーバインダーリター凝集因子は、各押出成形されたペレット内に、ペレットの押出成形中に、スターチから形成される、請求項１に記載の自己凝集するネコ用リター。
【請求項７】
各押出成形されたペレットは、ペレット重量の５％から１５％の炭水化物ポリマーバインダーリター凝集因子を有する、請求項６に記載の自己凝集するネコ用リター。
【請求項８】
各押出成形されたペレットは、その押出成形されたペレット１グラムあたり、少なくとも０．７グラムの水吸収度を有する、請求項６に記載の自己凝集するネコ用リター。
【請求項９】
各押出成形されたペレットは、その押出成形されたペレット１グラムあたり、少なくとも１．２５グラムの油吸収度を有する、請求項６に記載の自己凝集するネコ用リター。
【請求項１０】
前記スターチは、少なくとも１つのシリアル粒よりなり、前記少なくとも１つのシリアル粒は、シリアル粒の重量の少なくとも６０％の炭水化物含有量と、シリアル粒の重量の少なくとも４５％のスターチ含有量とを有する、請求項１に記載の自己凝集するネコ用リター。
【請求項１１】
前記少なくとも１つのシリアル粒は、コーン、トウモロコシ、米、小麦、トリティカーレ、アマランサス、およびモロコシのうち少なくとも１つよりなる、請求項１０に記載の自己凝集するネコ用リター。
【請求項１２】
前記少なくとも１つのシリアル粒は、グラインドまたは粉砕された、コーン、トウモロコシ、米、小麦、トリティカーレ、アマランサス、およびモロコシのうち少なくとも１つよりなる、請求項１１に記載の自己凝集するネコ用リター。
【請求項１３】
前記少なくとも１つのシリアル粒は、コーングリット、コーンミール、コーンスターチ、コーン粉末、米グリット、米ミール、米スターチ、米粉末、小麦グリット、小麦ミール、小麦スターチ、小麦粉末、トリティカーレグリット、トリティカーレミール、トリティカーレスターチ、トリティカーレ粉末、アマランサスグリット、アマランサスミース、アマランサススターチ、アマランサス粉末、モロコシグリット、モロコシミール、モロコシスターチ、およびモロコシ粉末のうち少なくとも１つよりなる、請求項１２に記載の自己凝集するネコ用リター。
【請求項１４】
前記ネコ用リターは、モロコシからなる添加剤から押し出された、押出成形された複数のペレットからなり、各押出成形されたペレットは、ペレット重量の少なくとも５％の水溶性の炭水化物ポリマーバインダーリター凝集因子を有する、請求項１に記載の自己凝集するネコ用リター。
【請求項１５】
各押出成形されたペレットは、尿によって濡れた場合に溶解する、水溶性の炭水化物ポリマーバインダーからなる外表面を有し、各押出成形されたペレットの前記外表面は、そこに形成された複数の細孔を有する、請求項１４に記載の自己凝集するネコ用リター。
【請求項１６】
各押出成形されたペレットは、その押出成形されたペレット１グラムあたり、少なくとも０．７グラムの水の水吸水度を有する、請求項１５に記載の自己凝集するネコ用リター。
【請求項１７】
各押出成形されたペレットは、ベントナイトによって被覆される、請求項１６に記載の自己凝集するネコ用リター。
【請求項１８】
複数の被覆されていない吸水性の押出成形されたペレットよりなる自己凝集するネコ用リターであって、それぞれのペレットは、（ａ）スターチよりなる少なくとも１つのシリアル粒と、（ｂ）複数組の細孔を有する外表面と、（ｃ）前記ペレットの複数の内部空隙と、（ｄ）水溶性の炭水化物ポリマーバインダーリター凝集因子とよりなり、前記水溶性の炭水化物ポリマーバインダーリター凝集因子は、ペレットの押出成形中に前記ペレット中にスターチから形成され、被覆されていない押出成形されたペレットの重量の少なくとも５％の水溶性の炭水化物ポリマーバインダー凝集因子からなり、尿に濡れた場合に、被覆されていない複数の押出成形されたペレットを共に凝集させるのに十分であり、近接するペレット同士の間およびペレットに沿ってペレットから流れる流動性のある液体の接着剤を形成し、複数のペレットを凝集させ、尿を吸収するためのネコ用リターとして被覆されずに用いられる被覆されていない押出成形されたペレットからなる自己凝集するネコ用リターを生み出し、
各コーティングされていない押出成形されたペレットの多孔質の前記外表面は、尿で濡れた場合に溶解する水溶性の炭水化物ポリマーバインダーからなる、自己凝集するネコ用リター。
【請求項１９】
各押出成形された被覆されていないペレットは、その押出成形された被覆されていないペレット１グラムあたり、少なくとも０．７グラムの水吸収性を有する、請求項１８に記載の自己凝集するネコ用リター。
【請求項２０】
各押出成形された被覆されていないペレットは、その押出成形された被覆されていないペレット１グラムあたり、少なくとも１．２５グラムの油吸収性を有する、請求項１８に記載の自己凝集するネコ用リター。
【請求項２１】
前記少なくとも１つのシリアル粒は、シリアル粒の重量の少なくとも６０％の炭水化物含有量と、シリアル粒の重量の少なくとも４５％のスターチ含有量とを有する、請求項１８に記載の自己凝集するネコ用リター。
【請求項２２】
前記少なくとも１つのシリアル粒は、グラインドまたは粉砕された、コーン、トウモロコシ、米、小麦、トリティカーレ、アマランサス、およびモロコシのうち少なくとも１つよりなる、請求項２１に記載の自己凝集するネコ用リター。
【請求項２３】
前記少なくとも１つのシリアル粒は、コーングリット、コーンミール、コーンスターチ、コーン粉末、米グリット、米ミール、米スターチ、米粉末、小麦グリット、小麦ミール、小麦スターチ、小麦粉末、トリティカーレグリット、トリティカーレミール、トリティカーレスターチ、トリティカーレ粉末、アマランサスグリット、アマランサスミース、アマランサススターチ、アマランサス粉末、モロコシグリット、モロコシミール、モロコシスターチ、およびモロコシ粉末のうち少なくとも１つよりなる、請求項２２に記載の自己凝集するネコ用リター。
【請求項２４】
前記被覆されていない押出成形されたペレットのそれぞれは、モロコシから押出成形される、請求項１８に記載の自己凝集するネコ用リター。
【請求項２５】
ネコ用リターの製造方法であって、十分な圧力および温度の下で、スターチよりなる添加物を押出機中で糊化し、前記押出機からの押出成形中に前記添加物の前記スターチの少なくともいくらかから炭水化物ポリマーバインダーよりなるリター凝集因子を形成し、１立方センチメートル当たり０．７グラム以下の密度を持ち、水溶性の炭水化物ポリマーバインダー凝集因子よりなる、押出成形された複数のリターペレットを生み出し、凝集因子の添加剤がない状態で尿に濡れた場合に、前記複数のリターペレットを共に凝集させるのに十分であり、水溶性の炭水化物ポリマー凝集因子を溶解し、隣接するペレットから沿っておよびその間を流れる流動性を有する液体の接着剤を形成し、前記複数のペレットが凝集する間に前記複数のペレットを凝固させる、ネコ用リターの製造方法。
【請求項２６】
それぞれの押出成形されたリターペレットは、ペレット重量の少なくとも５％の水溶性の炭水化物ポリマーバインダー凝集因子を有する、請求項２５に記載のネコ用リターの製造方法。
【請求項２７】
それぞれの押出成形されたリターペレットは、ペレット重量の５％から１５％の水溶性の炭水化物ポリマーバインダー凝集因子を有する、請求項２６に記載のネコ用リターの製造方法。
【請求項２８】
前記添加物は、十分低い含水量を有し、前記押出機は、少なくとも糊化中および前記押出機による押出成形中のうち少なくとも１つの間に、前記添加物中のスターチを糊化し、それぞれのリターペレット中にデキストリンを形成するのに十分に高い圧力および温度で操作される、請求項２５に記載のネコ用リターの製造方法。
【請求項２９】
前記添加物は、濡れた添加物全体の重量の１８％以下の含水量を有し、前記押出機は、１平方インチ当たり少なくとも８００ポンドの押出成形圧力および少なくとも摂氏１３５度の押出成形温度で、前記複数のリターペレットを押出成形する、請求項２８に記載のネコ用リターの製造方法。
【請求項３０】
前記複数のリターペレットのうちそれぞれの１つは、少なくとも０．１重量％のデキストリンよりなる、請求項２８に記載のネコ用リターの製造方法。
【請求項３１】
前記添加物は、モロコシよりなる、請求項２５に記載のネコ用リターの製造方法。